(57)【要約】【課題】テープカッターによる切断後のテープの切り口部がロール状に巻かれた粘着テープの外周面に貼り付くことを防止し、再度粘着テープを引き出す際に切り口部を探したり、粘着テープの外周面に貼り付いた切り口部を剥がしたりする手間を省くことが可能なテープカッターを提供する。【解決手段】ロール状に巻かれた粘着テープ１０を所定長さに引き出して切断するテープカッター１００において、粘着テープ１０を回転可能に収容し、粘着テープ１０が引き出されるテープ引出部１１１を有する本体部１１０と、テープ引出部１１１に設けられ、粘着テープ１０を切断するカッター部１２０と、テープ引出部１１１に対して接近又は離反するように摺動可能に設けられ、テープ引出部１１１において粘着テープ１０を押止するとともに当該粘着テープ１０の粘着面を貼り付けるテープ押止部１３１を有する摺動部１３０と、を設けた。【選択図】図１
2014181093.tif 000002
【特許請求の範囲】
【請求項１】
ロール状に巻かれた粘着テープを回転可能に収容し、前記粘着テープが引き出されるテープ引出部を有する本体部と、
前記テープ引出部に設けられ、前記粘着テープを切断するカッター部と、
前記テープ引出部に対して接近又は離反するように摺動可能に設けられ、前記テープ引出部において前記粘着テープを押止するとともに当該粘着テープの粘着面を貼り付けるテープ押止部を有する摺動部と、
を備える、テープカッター。
【請求項２】
前記摺動部が、前記粘着テープの押止を補助する押止補助部をさらに有する、請求項１に記載のテープカッター。
【請求項３】
前記摺動部が、前記本体部に収容された前記粘着テープの外周に沿って摺動可能に設けられている、請求項１又は２に記載のテープカッター。
【請求項４】
前記摺動部が、前記本体部に収容された前記粘着テープの外周に沿って延設されており、
前記テープ押止部が、前記摺動部の前記テープ引出部側の先端に設けられている、
請求項３に記載のテープカッター。
【請求項５】
前記本体部が、前記テープ引出部において前記摺動部の摺動を係止する摺動係止部をさらに有する、請求項１〜４のいずれか一項に記載のテープカッター。
【発明の詳細な説明】
【技術分野】
【０００１】
本発明は、テープカッターに関し、より詳細には、ロール状に巻かれた粘着テープを所定長さに引き出して切断するテープカッターに関する。
【背景技術】
【０００２】
従来から、ロール状に巻かれた粘着テープを収容し、収容された粘着テープを所定長さに引き出した後に切断するテープカッターがある。このようなテープカッターにおいては、ロール状に巻かれた粘着テープを回転させることによりテープを所定長さに引き出した後に、テープの引出口に設置されたカッターによりテープを切断する（例えば、特許文献１を参照）。
【先行技術文献】
【特許文献】
【０００３】
【特許文献１】実開平２−５２８６９号公報
【発明の概要】
【発明が解決しようとする課題】
【０００４】
しかしながら、上記特許文献１に記載されたような従来のテープカッターでは、テープを切断した後のテープの切り口部が、ロール状に巻かれた状態の粘着テープの外周面に貼り付いてしまう場合がある。このような場合、再度粘着テープを回転させて引き出す際に、直前のテープ切断後の切り口部を探す必要があった。特に、直前のテープ切断後に粘着テープが引き出す際と逆方向に回転し、切り口部が粘着テープの収容部の内部に移動してしまった場合等には、切り口部を探すことに時間を要する場合もあった。また、ロール状に巻かれた粘着テープの外周面に貼り付いた切り口部を剥がしにくい場合もあった。
【０００５】
そこで、本発明は、上記事情に鑑みてなされたものであり、テープカッターによる切断後のテープの切り口部がロール状に巻かれた粘着テープの外周面に貼り付くことを防止し、再度粘着テープを引き出す際に切り口部を探したり、粘着テープの外周面に貼り付いた切り口部を剥がしたりする手間を省くことが可能なテープカッターを提供することを目的とする。
【課題を解決するための手段】
【０００６】
本発明者らは、上記課題を解決するために鋭意研究を重ねた結果、ロール状に巻かれた粘着テープを所定長さに引き出して切断するテープカッターにおいて、粘着テープが引き出されるテープ引出部に対して接近又は離反するように摺動可能に設けられ、テープ引出部において粘着テープを押止するとともに当該粘着テープの粘着面を貼り付けるテープ押止部を有する摺動部を設けることにより、テープカッターによる切断後のテープの切り口部が粘着テープの外周面に貼り付くことを防止できることを見出し、この知見に基づいて本発明を完成するに至った。
【０００７】
すなわち、本発明は、ロール状に巻かれた粘着テープを回転可能に収容し、前記粘着テープが引き出されるテープ引出部を有する本体部と、前記テープ引出部に設けられ、前記粘着テープを切断するカッター部と、前記テープ引出部に対して接近又は離反するように摺動可能に設けられ、前記テープ引出部において前記粘着テープを押止するとともに当該粘着テープの粘着面を貼り付けるテープ押止部を有する摺動部と、を備える、テープカッターである。
前記テープカッターにおいて、前記摺動部が、前記粘着テープの押止を補助する押止補助部をさらに有していてもよい。
前記テープカッターにおいて、前記摺動部が、前記本体部に収容された前記粘着テープの外周に沿って摺動可能に設けられていてもよい。
この場合に、前記摺動部が、前記本体部に収容された前記粘着テープの外周に沿って延設されており、前記テープ押止部が、前記摺動部の前記テープ引出部側の先端に設けられていてもよい。
前記テープカッターにおいて、前記本体部が、前記テープ引出部において前記摺動部の摺動を係止する摺動係止部をさらに有していてもよい。
【発明の効果】
【０００８】
本発明によれば、前記摺動部を設けることにより、テープカッターによる切断後のテープの切り口部がロール状に巻かれた粘着テープの外周面に貼り付くことを防止し、再度粘着テープを引き出す際に切り口部を探したり、粘着テープの外周面に貼り付いた切り口部を剥がしたりする手間を省くことが可能なテープカッターを提供することが可能となる。
【図面の簡単な説明】
【０００９】
【図１】本発明の第１の実施形態に係るテープカッターの全体構成を示す図であり、（ａ）は斜視図、（ｂ）は分解斜視図である。
【図２】図１（ａ）に示すテープカッターをＩＩ−ＩＩ線で切断した断面図である。
【図３】同実施形態に係るテープカッターの部品である本体部の構成を示す平面図である。
【図４】同実施形態に係るテープカッターの部品である摺動部の構成を示す平面図である。
【図５Ａ】同実施形態に係るテープカッターの動作を示す説明図である。
【図５Ｂ】同実施形態に係るテープカッターの動作を示す説明図である。
【図６Ａ】本発明の第２の実施形態に係るテープカッターの構成及び動作を示す説明図である。
【図６Ｂ】同実施形態に係るテープカッターの構成及び動作を示す説明図である。
【図７Ａ】本発明の第３の実施形態に係るテープカッターの構成及び動作を示す説明図である。
【図７Ｂ】同実施形態に係るテープカッターの構成及び動作を示す説明図である。
【発明を実施するための形態】
【００１０】
以下、図面を参照しながら、本発明の好適な実施の形態について詳細に説明する。なお、本明細書及び図面においては、同一の符号が付された構成要素は、実質的に同一の構造または機能を有するものとする。
【００１１】
なお、本発明に係るテープカッターについては、以下の順序で説明する。
・第１実施形態
・テープカッターの構成
・テープカッターの動作
・第２実施形態
・テープカッターの構成
・テープカッターの動作
・第３実施形態
・テープカッターの構成
・テープカッターの動作
【００１２】
［第１の実施形態］
初めに、本発明の第１の実施形態に係るテープカッターについて説明する。本実施形態に係るテープカッターは、ロール状に巻かれた粘着テープを所定長さに引き出して切断するものである。以下、本実施形態に係るテープカッターの構成、本実施形態に係るテープカッターの動作の順に説明する。
【００１３】
（テープカッターの構成）
まず、図１−図４を参照しながら、本実施形態に係るテープカッター１００の構成について詳細に説明する。図１は、本実施形態に係るテープカッター１００の全体構成を示す図であり、（ａ）は斜視図、（ｂ）は分解斜視図である。図２は、図１（ａ）に示すテープカッター１００をＩＩ−ＩＩ線で切断した断面図である。図３は、本実施形態に係るテープカッター１００の部品である本体部１１０の構成を示す平面図である。図４は、本実施形態に係るテープカッター１００の部品である摺動部１３０の構成を示す平面図である。
【００１４】
＜全体構成＞
図１及び図２に示すように、本実施形態に係るテープカッター１００は、本体部１１０と、カッター部１２０と、摺動部１３０とを主に備える。このテープカッター１００は、ロール状に巻かれた粘着テープ１０を本体部１１０に収容可能なように構成されており、本体部１１０の内部に収容された粘着テープ１０を所定方向に回転させることで、本体部１１０に設けられたテープ引出部１１１から粘着テープ１０を所定長さに引き出して、カッター部１２０により切断するものである。この場合に、テープカッター１００には、テープ引出部１１１において粘着テープ１０を押止するテープ押止部１３１を有する摺動部１３０が設けられていることにより、切断された粘着テープ１０の切り口部１０ａがロール状に巻かれた粘着テープ１０の外周面に貼り付くことを防止することが可能となる。
【００１５】
ここで、図１（ｂ）を参照しながら、テープカッター１００の組立方法について説明する。テープカッター１００においては、例えば、図１（ｂ）に示すように、本体部１１０が第１本体部１１０Ａと第２本体部１１０Ｂとから構成されており、第１本体部１１０Ａに設けられたカッター取付部１１１ｂにカッター部１２０が取り付けられる。また、第１本体部１１０Ａに設けられた第１摺動案内溝部１１３と摺動部１３０の第１摺動案内突起部１３３とが係合し、第１本体部１１０Ａ及び第２本体部１１０Ｂに設けられた第２摺動案内溝部１１５Ａ及び第２摺動案内溝部１１５Ｂと摺動部１３０の２つの第２摺動案内突起部１１５とが係合するように、摺動部１３０が本体部１１０（図１に示した例では、第１本体部１１０Ａ）に取り付けられる。最後に、第２本体部１１０Ｂに設けられた第２リール部１１７Ｂが第１本体部１１０Ａに設けられた第１リール部１１７Ａに嵌合するように、第１本体部１１０Ａと第２本体部１１０Ｂとを嵌め合わせることで、テープカッター１００を組み立てることができる。
【００１６】
以下、本実施形態に係るテープカッター１００を構成する各部品について、本体部１１０、カッター部１２０、摺動部１３０の順に詳細に説明する。
【００１７】
＜本体部１１０＞
本体部１１０は、ロール状に巻かれた粘着テープ１０を回転可能に収容する部材であり、全体が略馬蹄形の形状を有している。もちろん本体部１１０の形状は略馬蹄形状に限られず、後述する本体部１１０の機能を実現することが可能なものであれば、例えば、略円形状、略矩形状、略多角形状等、任意の形状とすることができる。
【００１８】
また、本実施形態では、図１（ｂ）及び図３に示すように、本体部１１０は、第１本体部１１０Ａと第２本体部１１０Ｂとからなり、これらを嵌め合わせて一体とすることで、全体として本体部１１０を構成する。なお、本体部１１０内に粘着テープ１０を収容可能な構造であれば、本体部１１０は、本実施形態のように２つの部材に分けて構成されていなくてもよく、本体部１１０が一体的に形成されていてもよい。この場合、例えば、本体部１１０に開閉可能な箇所を設け、当該箇所を通じて粘着テープ１０を本体部１１０に収容すればよい。また、本体部１１０は、３つ以上の部材で構成されていてもよい。
【００１９】
以上のような形態を有する本体部１１０は、テープ引出部１１１と、第１摺動案内溝部１１３と、第２摺動案内溝部１１５と、リール部１１７と、を主に有する。
【００２０】
テープ引出部１１１は、本体部１１０に収容された粘着テープ１０が引き出される部分であり、このテープ引出部１１１には、カッター取付部１１１ｂ及び摺動係止部１１１ａが設けられている。
【００２１】
摺動係止部１１１ａは、テープ引出部１１１において摺動部１３０の摺動を係止する部材であり、より詳細には、摺動部１３０がテープ引出部１１１に接近するように摺動する際に、摺動部１３０の先端部（本実施形態では、テープ押止部１３１）と接触して、摺動部１３０の摺動を係止する。摺動係止部１１１ａは、このように摺動部１３０の摺動を係止する役割を有するが、さらに、摺動係止部１１１ａは、テープ押止部１３１が粘着テープ１０の先端部（切り口部１０ａから所定長さ離れた位置）を押止する際に、テープ押止部１３１との間で粘着テープ１０を挟持する。これにより、粘着テープ１０をカッター部１２０で切断する際に粘着テープ１０の位置がしっかりと固定されるため、切断する粘着テープ１０の長さの調整が容易となるだけでなく、切断時に粘着テープ１０の位置が動かないため切断作業がし易くなる。また、本実施形態では、摺動係止部１１１ａは、第１本体部１１０Ａ及び第２本体部１１０Ｂの双方に設けられており、それぞれの幅（図の一点鎖線方向の長さ）は、摺動部１３０の先端部（テープ押止部１３１）の幅の約半分となっている。第１本体部１１０Ａと第２本体部１１０Ｂとが嵌め合わされることで、それぞれに設けられた２つの摺動係止部１１１ａが連結され、摺動部１３０の摺動を係止することができる。
【００２２】
カッター取付部１１１ｂは、カッター部１２０を本体部１１０に取り付けるための部材であり、カッター部１２０の形状に合わせて、カッター部１２０の位置が固定されるように形成される。本実施形態では、カッター取付部１１１ｂは、第１本体部１１０Ａ側に設けられているが、第２本体部１１０Ｂ側に設けられていてもよいことは当然である。また、カッター部１２０を取り付け可能な構造であれば、摺動係止部１１１ａのように、第１本体部１１０Ａと第２本体部１１０Ｂとに分割して設けられていてもよい。
【００２３】
第１摺動案内溝部１１３は、スリット状の貫通溝として設けられており、後述する摺動部１３０の第１摺動案内突起部１３３と係合して、摺動部１３０がテープ引出部１１１に対して接近又は離反するように摺動するように案内（ガイド）する。より具体的には、例えば、第１摺動案内溝部１１３は、摺動部１３０が本体部１１０に収容された粘着テープ１０の外周に沿って摺動するように案内できるように、本体部１１０に収容された粘着テープ１０の外周に沿って延設されている。また、本実施形態では、第１摺動案内溝部１１３として、２本のスリット状の貫通溝が設けられているが、摺動部１３０の摺動を案内することが可能な形態であれば、貫通溝の本数や貫通溝の形状等は特に限定されるものではない。例えば、第１摺動案内溝部１１３は、１本のスリット状の貫通溝として設けられていてもよいし、貫通していない凹み部として設けられていてもよい。
【００２４】
また、本実施形態では、第１摺動案内溝部１１３は、第１本体部１１０Ａ側に設けられているが、第２本体部１１０Ｂ側に設けられていてもよいことは当然である。また、摺動部１３０の摺動を案内可能な構造であれば、摺動係止部１１１ａのように、第１本体部１１０Ａと第２本体部１１０Ｂとに分割して設けられていてもよい。
【００２５】
第２摺動案内溝部１１５は、略円弧状の凹み部として設けられており、後述する摺動部１３０の第２摺動案内突起部１３５と係合して、摺動部１３０がテープ引出部１１１に対して接近又は離反するように摺動するように案内（ガイド）する。より具体的には、例えば、第２摺動案内溝部１１５は、摺動部１３０が本体部１１０に収容された粘着テープ１０の外周に沿って摺動するように案内する。また、本実施形態では、第２摺動案内溝部１１５として、第１本体部１１０Ａに設けられた第２摺動案内溝部１１５Ａ及び第２本体部１１０Ｂに設けられた第２摺動案内溝部１１５Ｂの２つの凹み部が設けられているが、摺動部１３０の摺動を案内することが可能な形態であれば、凹み部の個数や凹み部の形状等は特に限定されるものではない。例えば、第２摺動案内溝部１１５は、第１本体部１１０Ａと第２本体部１１０Ｂのいずれか一方のみに設けられていてもよいし、スリット状の貫通溝として設けられていてもよい。
【００２６】
リール部１１７は、ロール状に巻かれた粘着テープ１０を本体部１１０内に回転可能に保持する部材であり、略筒状の形状を有している。このリール部１１７は、その外径が粘着テープ１０の略中央部の空洞部分の径よりもやや小さくなるように形成されており、リール部１１７が粘着テープ１０の空洞部分に挿入されることで、粘着テープ１０を本体部１０内に回転可能に保持することができる。また、本実施形態では、リール部１１７は、第１本体部１１０Ａに設けられた第１リール部１１７Ａと、第２本体部１１０Ｂに設けられた第２リール部１１７Ｂとからなる。ここで、第１リール部１１７Ａの径は、第２リール部１１７Ｂの径よりもやや大きくなるように形成されていることから、第１リール部１１７Ａ内に第２リール部１１７Ｂを挿入して嵌め合わせることで、リール部１１７を構成することができる。なお、第１リール部１１７Ａの径を第２リール部１１７Ｂの径よりもやや小さくなるように形成してもよいことは言うまでもない。
【００２７】
なお、粘着テープ１０は、略中央部にリール部１１７が嵌め込まれるように、全体が略ドーナツ状の形状を有し、ロール状に巻かれた状態となっている。本実施形態では、このような粘着テープ１０が、テープ引出部１１１において摺動部１３０のテープ押止部１３１に貼り付くように、テープ引出部１１１において粘着面がテープ押止部１３１が位置する側（図２等に示す例では上側）を向くように、本体部１１０は、粘着テープ１０を収容する。
【００２８】
＜カッター部１２０＞
カッター部１２０は、テープ引出部１１１に設けられ、本体部１１０に収容され、所定長さ引き出された粘着テープ１０を切断する。より詳細には、上述したように、カッター部１２０は、テープ引出部１１１に設けられたカッター取付部１１１ｂに取り付けられる。カッター部１２０の形態は、引き出された粘着テープ１０を所定長さに切断できるものであれば特に限定はされず、カッター部１２０としては、公知の形態のものを用いることができる。
【００２９】
＜摺動部１３０＞
摺動部１３０は、図１及び図２に示すように、テープ引出部１１１に対して接近又は離反するように摺動可能に設けられている。摺動部１３０の摺動方向は特に限定されるものではないが、本実施形態では、図２に両矢印で示したように、本体部１１０に収容された粘着テープ１０の外周に沿って摺動可能なように設けられている。このような摺動動作を実現するため、本実施形態では、摺動部１３０は、本体部１１１に収容された粘着テープ１０の外周に沿って延設されている。ただし、摺動部１３０の形状は特に限定されるものではなく、本体部１１０の形状に合わせて、テープ引出部１１１に対して接近又は離反するように摺動可能に設けられていればよい。
【００３０】
また、摺動部１３０は、図４に示すように、全体が略円弧状の形状に形成されており、テープ押止部１３１と、第１摺動案内突起部１３３と、第２摺動案内突起部１３５と、を主に有する。
【００３１】
テープ押止部１３１は、テープ引出部１１１において粘着テープ１０を押止するとともに当該粘着テープ１０の粘着面を貼り付ける部材である。本実施形態では、テープ押止部１３１は、図１及び図２に示すように、摺動部１３０のテープ引出部１１１側の先端に設けられている。これにより、テープ押止部１３１は、粘着テープ１０の切断時に、粘着テープ１０の切り口部１０ａから所定長さ離れた位置を押止し（摺動係止部１１１ａが設けられている場合には、当該摺動係止部１１１ａとともに粘着テープ１０の切り口部１０ａから所定長さ離れた位置を挟持し）、カッター部１２０による粘着テープ１０の切断作業をし易くすることができる。また、粘着テープ１０の切断後は、テープ押止部１３１が切り口部１０ａから所定長さ離れた位置の粘着面と貼り付き、切り口部１０ａが粘着テープ１０から離反されるため、当該切り口部１０ａが粘着テープ１０の外周面に貼り付くことを防止することができる。
【００３２】
本実施形態では、テープ押止部１３１は、粘着テープ１０の貼り付き易さ、ユーザの安全性及びテープ押止部１３１自体の強度等を考慮して表面が丸みを帯びて形成されているが、上述した機能を実現可能な形状であれば上記形状に限定されるものではなく、例えば、平坦面として形成されていてもよい。また、図に示した例では、テープ押止部１３１の先端部に凹凸が形成されているが、これは主にテープ押止部１３１への粘着テープ１０の接着力を調整するためのものであって、テープ押止部１３１の先端部には必ずしも凹凸が設けられていなくてもよい。
【００３３】
第１摺動案内突起部１３３は、摺動部１３０の第１摺動案内溝部１１３と向かい合う側の面に設けられており、本体部１１０の第１摺動案内溝部１１３と係合して、摺動部１３０がテープ引出部１１１に対して接近又は離反するように摺動するように案内（ガイド）する。より具体的には、例えば、第１摺動案内突起部１３３は、摺動部１３０が本体部１１０に収容された粘着テープ１０の外周に沿って摺動するように案内できるように、第１摺動案内溝部１１３内を往復動可能なように配置されている。また、本実施形態では、第１摺動案内突起部１３３として、第１摺動案内溝部１１３の本数と合わせて、複数（図示した例では３個）の突起を摺動部１３０の長手方向に沿って配列させた列が２列設けられている。ただし、第１摺動案内突起部１３３は、摺動部１３０の摺動を案内することが可能な形態であれば、突起の個数や列数等は特に限定されるものではない。例えば、第１摺動案内突起部１３３は、複数（図示した例では３個）の突起を摺動部１３０の長手方向に沿って配列させた列が１列のみ設けられていてもよいし、摺動部１３０の長手方向に延設されたレール状に設けられていてもよい。
【００３４】
第２摺動案内突起部１３５は、摺動部１３０の第２摺動案内溝部１１５と向かい合う側の面に設けられており、本体部１１０の第２摺動案内溝部１１５と係合して、摺動部１３０がテープ引出部１１１に対して接近又は離反するように摺動するように案内（ガイド）する。より具体的には、例えば、第２摺動案内突起部１３５は、摺動部１３０が本体部１１０に収容された粘着テープ１０の外周に沿って摺動するように案内できるように、第２摺動案内溝部１１５内を往復動可能なように設けられている。また、本実施形態では、第２摺動案内突起部１３５として、単一の突起が設けられている。ただし、第２摺動案内突起部１３５は、摺動部１３０の摺動を案内することが可能な形態であれば、突起の個数等は特に限定されるものではない。例えば、第２摺動案内突起部１３５は、複数の突起が第２摺動案内溝部１１５内を往復動可能なように配置されていてもよい。
【００３５】
なお、図示していないが、摺動部１３０は、テープカッター１００のユーザが摺動部１３０を摺動させる際に用いるツマミのようなものを設けてもよい。
【００３６】
（テープカッターの動作）
以上、本実施形態に係るテープカッター１００の構成について詳細に説明したが、続いて、図５Ａ及び図５Ｂを参照しながら、以上のような構成を有する本実施形態に係るテープカッター１００の動作について説明する。図５Ａは、本実施形態に係るテープカッター１００の動作を示す説明図であり、粘着テープ１００の切断時の状態を示している。図５Ｂは、本実施形態に係るテープカッター１００の動作を示す説明図であり、粘着テープ１００の切断前後の状態を示している。
【００３７】
＜テープ切断時の動作＞
まず、図５Ａに基づき、テープ切断時の動作について説明する。粘着テープ１０を切断する際には、図５Ａに示すように、ロール状に巻かれた粘着テープ１０を所定方向（図示した例では反時計方向）に回転させてテープ引出部１１１まで所定長さ引き出した後、摺動部１３０をテープ引出部１１１に接近させるように図の矢印ＳＣ方向に摺動させる。このとき、第１摺動案内突起部１３３が本体部１１０（図示している例では、第１本体部１１０Ａが見えている。）の第１摺動案内溝部１１３内を矢印ＳＣ方向に移動し、第２摺動案内突起部１３５が本体部１１０の第２摺動案内溝部１１５内を矢印ＳＣ方向に移動することで、摺動部１３０の摺動が案内される。
【００３８】
このような摺動の結果、粘着テープ１０の切り口部１０ａから所定長さ離れた位置が、摺動部１３０の先端のテープ押止部１３１により押止されるとともに、粘着テープ１０の粘着面がテープ押止部１３１に貼り付けられる。ここで、本実施形態では摺動係止部１１１ａが設けられていることから、テープ押止部１３１が摺動係止部１１１ａにより係止され、その動きが止められる。このとき、粘着テープ１０が、テープ押止部１３１と摺動係止部１１１ａとにより挟持された状態となる。この状態で、粘着テープ１０をカッター部１２０により切断すると、粘着テープ１０が固定されており、粘着テープ１０の回転が抑えられるため、粘着テープ１０の切断動作がし易くなる。
【００３９】
＜テープ切断前後の動作＞
次に、図５Ｂに基づき、テープ切断前後の動作について説明する。上述したようにして粘着テープ１０を切断した後、摺動部１３０をテープ引出部１１１から離反させるように図の矢印ＳＦ方向（テープ切断時（矢印ＳＣの方向）とは逆方向）に摺動させる。このとき、テープ切断時と同様に、第１摺動案内突起部１３３が本体部１１０（図示している例では、第１本体部１１０Ａが見えている。）の第１摺動案内溝部１１３内を矢印ＳＦ方向に移動し、第２摺動案内突起部１３５が本体部１１０の第２摺動案内溝部１１５内を矢印ＳＦ方向に移動することで、摺動部１３０の摺動が案内される。
【００４０】
ここで、テープ切断時に粘着テープ１０の切り口部１０ａから所定長さ離れた位置の粘着面がテープ押止部１３１に貼り付けられており、粘着テープ１０の切り口部１０ａは、テープ引出部１１１の外側に位置していることから、粘着テープ１０の外周面に貼り付くことはない。このようにして、本実施形態に係るテープカッター１００では、粘着テープ１０をカッター部１２０により切断した後の切り口部１０ａが、粘着テープ１０の外周面に貼り付くことを防止することができる。従って、本実施形態に係るテープカッター１００によれば、再度粘着テープ１０を切断するためにテープ引出部１１１から引き出す際に、切り口部１０ａを探したり、粘着テープ１０の外周面に貼り付いた切り口部１０ａを剥がしたりする手間を省くことが可能となる。
【００４１】
［第２の実施形態］
次に、本発明の第２の実施形態に係るテープカッターについて説明する。本実施形態に係るテープカッターは、上述した第１の実施形態とは、摺動部の構成及び動作が異なる。以下、図６Ａ及び図６Ｂを参照しながら、本実施形態に係るテープカッターについて、第１の実施形態と異なる部分を中心に説明する。なお、図６Ａ及び図６Ｂは、本発明の第２の実施形態に係るテープカッター２００の構成及び動作を示す説明図である。
【００４２】
（テープカッターの構成）
図６Ａ及び図６Ｂに示すように、本実施形態に係るテープカッター２００は、本体部２１０と、カッター部２２０と、摺動部２３０とを主に備える。このテープカッター２００は、上述した第１の実施形態に係るテープカッター１００とほぼ同様の構成を有しているが、摺動部２３０の形状及び摺動方向が、第１の実施形態に係る摺動部１３０とは異なる。また、この摺動部２３０の形状及び摺動方向に合わせて、本体部２１０の形状も、第１の実施形態に係る本体部１１０とは若干異なっている。本実施形態に係るテープカッター２００のその他の構成に関しては、第１の実施形態に係るテープカッター１００と同様であることから、以下、本体部２１０及び摺動部２３０の形状、並びに摺動部２３０の摺動方向について説明する。
【００４３】
＜本体部２１０＞
本体部２１０は、本体部１１０と同様、ロール状に巻かれた粘着テープ１０を回転可能に収容する部材であり、全体が略馬蹄形の形状を有している。もちろん本体部２１０の形状は略馬蹄形状に限られず、例えば、略円形状、略矩形状、略多角形状等、任意の形状とすることができる。ただし、本体部２１０のテープ引出部２１１側の面の形状が、本体部１１０とやや異なる。すなわち、本実施形態では、後述するように摺動部２３０が鉛直方向に上下動するように摺動することから、本体部２１０のテープ引出部２１１側の面が、粘着テープ１０の外周に沿った形状ではなく、鉛直方向に長手方向を有する平坦面となっている。
【００４４】
ここで、本実施形態においても、本体部２１０は、第１本体部と第２本体部とからなるが、説明の便宜上、第１本体部側にある部材（例えば、第２摺動案内溝部２１５Ａ、第１リール部２１７Ａ）のみを図示している。また、本実施形態に係る第１摺動案内溝部（図示せず。）は、その機能及び作用効果は、第１の実施形態に係る第１摺動案内溝部１１３と同様であるが、全体が略直線状に形成されている点で、その形状は異なる。さらに、本実施形態に係る第２摺動案内溝部２１５Ａ（第２本体部側は図示せず。）は、第１の実施形態に係る第２摺動案内溝部１１５が略円弧状の形状を有しているのと異なり、鉛直方向に沿って略直線状に形成されている。なお、本体部２１０のその他の構成、機能及び作用効果については、上述した第１の実施形態に係る本体部１１０の構成、機能及び作用効果と同様であるので、ここではその詳細な説明を省略する。
【００４５】
＜摺動部２３０＞
摺動部２３０は、摺動部１３０と同様、テープ引出部２１１に対して接近又は離反するように摺動可能に設けられている。摺動部２３０の摺動方向は鉛直方向であり、当該摺動部２３０は、図６Ａの矢印ＳＣ及び図６Ｂの矢印ＳＦの方向に上下動可能なように設けられている。このような摺動動作を実現するため、本実施形態では、摺動部２３０は、本体部２１１の摺動部２３０側の面に沿って鉛直方向に延設されている。ただし、摺動部２３０の形状は特に限定されるものではなく、本体部２１０の形状に合わせて、テープ引出部２１１に対して接近又は離反するように摺動可能に設けられていればよい。
【００４６】
また、摺動部２３０は、全体が略矩形状の形状に形成されており、テープ押止部２３１と、第１摺動案内突起部２３３と、第２摺動案内突起部２３５と、を主に有する。なお、摺動部２３０のその他の構成、機能及び作用効果については、上述した第１の実施形態に係る摺動部１３０の構成、機能及び作用効果と同様であるので、ここではその詳細な説明を省略する。
【００４７】
（テープカッターの動作）
以上、本実施形態に係るテープカッター２００の構成について説明したが、続いて、以上のような構成を有する本実施形態に係るテープカッター２００の動作について説明する。テープカッター２００の動作は、基本的には、上述した第１の実施形態に係るテープカッター１００の動作と同様であるが、摺動部２３０の摺動方向が摺動部１３０とは異なる。具体的には、摺動部１３０が本体部１３０に収容された粘着テープ１０の外周に沿って摺動するのに対し、摺動部２３０は、テープ切断時には、鉛直方向下方（図６Ａの矢印ＳＣ方向）に摺動し、テープ切断後には、摺動部２３０が鉛直方向上方（図６Ｂの矢印ＳＦ方向）に摺動する。
【００４８】
この場合、粘着テープ１０は、鉛直方向上方から摺動部２３０のテープ押止部２３１に押止されるため、第１の実施形態の場合よりも粘着テープ１０が折れ曲がり易い傾向にある。特に、テープ押止部２３１の形状が丸みを帯びているのではなく、平坦面状となっている場合には、粘着テープ１０が折れ曲がり易い。一方、テープカッター２００では、テープ押止部２３１が鉛直方向上方から粘着テープ１０を押止するため、粘着テープ１０の位置の固定効果は、第１の実施形態の場合よりも高いものと考えられる。また、切断後の粘着テープ１０がよりしっかりとテープ押止部２３１に貼り付けられるものと考えられる。
【００４９】
［第３の実施形態］
次に、本発明の第３の実施形態に係るテープカッターについて説明する。本実施形態に係るテープカッターは、上述した第１及び第２の実施形態とは、摺動部が粘着テープの押止を補助する押止補助部をさらに有する点が異なる。以下、図７Ａ及び図７Ｂを参照しながら、本実施形態に係るテープカッターについて、第１及び第２の実施形態と異なる部分を中心に説明する。なお、図７Ａ及び図７Ｂは、本発明の第３の実施形態に係るテープカッター３００の構成及び動作を示す説明図である。
【００５０】
（テープカッターの構成）
図７Ａ及び図７Ｂに示すように、本実施形態に係るテープカッター３００は、本体部３１０と、カッター部３２０と、摺動部３３０とを主に備える。このテープカッター３００は、上述した第１の実施形態に係るテープカッター１００とほぼ同様の構成を有しているが、摺動部３３０が、粘着テープ１０の押止を補助する押止補助部３３７をさらに有する点で、第１の実施形態に係る摺動部１３０とは異なる。本実施形態に係るテープカッター３００のその他の構成に関しては、第１の実施形態に係るテープカッター１００と同様であることから、以下、摺動部３３０の構成について、押止補助部３３７の構成を中心に説明する。
【００５１】
＜摺動部３３０＞
摺動部３３０は、摺動部１３０と同様、テープ引出部３１１に対して接近又は離反するように摺動可能に設けられている。摺動部３３０の摺動方向は、摺動部１３０と同様であり、当該摺動部３３０は、図７Ａの矢印ＳＣ及び図７Ｂの矢印ＳＦの方向に往復動可能なように設けられている。このような摺動動作を実現するため、本実施形態では、摺動部３３０は、本体部３１１に収容された粘着テープ１０の外周に沿って延設されている。ただし、摺動部３３０の形状は特に限定されるものではないことは、第１の実施形態に係る摺動部１３０と同様である。
【００５２】
また、摺動部３３０は、全体が略円弧状の形状に形成されており、テープ押止部３３１と、第１摺動案内突起部３３３と、第２摺動案内突起部３３５と、押止補助部３３７と、を主に有する。なお、テープ押止部３３１、第１摺動案内突起部３３３及び第２摺動案内突起部３３５を含め、摺動部３３０のその他の構成、機能及び作用効果については、上述した第１の実施形態に係る摺動部１３０の構成、機能及び作用効果と同様であるので、ここではその詳細な説明を省略する。
【００５３】
押止補助部３３７は、摺動部３３０のテープ引出部３１１側の先端に、テープ押止部３３１に隣接して設けられている。この押止補助部３３７は、テープ押止部３３１と共に、粘着テープ１０の切断時に当該粘着テープ１０を押止するとともに、粘着テープ１０の切り口部１０ａから所定長さ離れた位置を貼り付ける。本実施形態では、この押止補助部３３７を有することで、より強く粘着テープ１０を押止することができるので、粘着テープ１０の回転が第１の実施形態の場合よりも確実に抑えられるため、粘着テープ１０の切断動作が更にし易くなる。また、この押止補助部３３７を設けることで、粘着テープ１０の切断後に、摺動部３３０の先端から外部にはみ出した部分の長さを第１の実施形態の場合よりも短くすることができる。
【００５４】
（テープカッターの動作）
以上、本実施形態に係るテープカッター３００の構成について説明したが、続いて、以上のような構成を有する本実施形態に係るテープカッター３００の動作について説明する。テープカッター３００の動作は、基本的には、上述した第１の実施形態に係るテープカッター１００の動作と同様であるが、テープ切断時に押止補助部３３７が粘着テープ１０を押止し、テープ切断後に押止補助部３３７に粘着テープ１０の粘着面が貼り付けられる点が、摺動部１３０とは異なる。
【００５５】
この場合、粘着テープ１０は、テープ押止部３３１だけでなく、押止補助部３３７によっても押止されるため、粘着テープ１０の位置の固定効果は、第１の実施形態の場合よりも高いものと考えられる。また、切断後の粘着テープ１０は、テープ押止部３３１だけでなく、押止補助部３３７にも貼り付くことから、切断後の粘着テープ１０がよりしっかりと摺動部３３０の先端部に貼り付けられるものと考えられる。また、摺動部３３０の摺動方向は、第１の実施形態に係る摺動部１３０と同様である（第２の実施形態に係る摺動部２３０と異なる）ことから、第２の実施形態の場合とは異なり、粘着テープ１０が折れ曲がり易いということもない。さらに、上述したように、粘着テープ１０の切断後に、摺動部３３０の先端から外部にはみ出した部分の長さを第１の実施形態の場合よりも短くすることができる。
【００５６】
このように、本実施形態に係るテープカッター３００は、上述した第１の実施形態に係るテープカッター１００と第２の実施形態に係るテープカッター２００の利点を兼ね備えたものと言える。
【００５７】
以上、図面を参照しながら本発明の好適な実施の形態について説明したが、本発明は上述した形態に限定されない。すなわち、特許請求の範囲に記載された発明の範囲内で当業者が想到し得る他の形態または各種の変更例についても本発明の技術的範囲に属するものと理解される。
【符号の説明】
【００５８】
１０  粘着テープ
１０ａ  （粘着テープ１０の）切り口部
１００、２００、３００  テープカッター
１１０、２１０、３１０  本体部
１１１、２１１、３１１  テープ引出部
１１１ａ  摺動係止部
１１１ｂ  カッター取付部
１１３  第１摺動案内溝部
１１５、２１５、３１５  第２摺動案内溝部
１１７、２１７、３１７  リール部
１２０、２２０、３２０  カッター部
１３０、２３０、３３０  摺動部
１３１、２３１、３３１  テープ押止部
１３３、２３３、３３３  第１摺動案内突起部
１３５、２３５、３３５  第２摺動案内突起部
３３７  押止補助部
【図１】
2014181093.tif 000003
【図２】
2014181093.tif 000004
【図３】
2014181093.tif 000005
【図４】
2014181093.tif 000006
【図５Ａ】
2014181093.tif 000007
【図５Ｂ】
2014181093.tif 000008
【図６Ａ】
2014181093.tif 000009
【図６Ｂ】
2014181093.tif 000010
【図７Ａ】
2014181093.tif 000011
【図７Ｂ】
2014181093.tif 000012